(57)【要約】【課題】現在の所在地の地名を入力する際、同音での文字変換候補が多い場合、文字変換に時間を要せず、変換候補の最初に利用者の現在の所在地が現れる文字変換機能を備えた携帯端末を提供する。【解決手段】本発明は、携帯端末が現在の位置情報を受信する（ステップ２０３）と、この位置情報に基づき、携帯端末が自ら有する、位置情報と地名が対応したデータベースを参照して地名を取得し（ステップ２０５）、入力文字の変換候補とこの地名を比較して（ステップ２１１）、変換候補の中にこの地名が含まれる場合（ステップ２１２）、この地名を変換候補の有力候補として位置づけるようにする（ステップ２１３）。【選択図】  図２
2004185200.tif 000002
【特許請求の範囲】
【請求項１】
携帯端末における位置情報を利用した文字変換方法であって、
携帯端末が、該携帯端末の現在の位置情報を受信する第１のステップと、
前記携帯端末が、前記位置情報に基づき、該携帯端末が自ら有する、位置情報と地名が対応したデータベースを参照して、地名を取得する第２のステップと、
前記携帯端末が入力文字の変換候補と前記地名を比較し、前記変換候補の中に前記地名が含まれる場合、前記地名を前記変換候補の有力候補として位置づける第３のステップを有する方法。
【請求項２】
前記位置情報に含まれる前記携帯端末の位置からの範囲を指定するステップをさらに有し、
前記第２のステップは、前記範囲に含まれる地名を取得する、請求項１に記載の方法。
【請求項３】
前記地名に対応する電話番号および／または郵便番号を取得するステップをさらに有する、請求項１または２に記載の方法。
【請求項４】
文字変換機能を有する携帯端末において、
前記携帯端末の現在の位置情報を受信する第１の手段と、
前記位置情報に基づき、前記携帯端末が自ら有する、位置情報と地名が対応したデータベースを参照して、地名を取得する第２の手段と、
入力文字の変換候補と前記地名を比較し、前記変換候補の中に前記地名が含まれる場合、前記地名を前記変換候補の有力候補として位置づける第３の手段を有することを特徴とする携帯端末。
【請求項５】
前記位置情報に含まれる前記携帯端末の位置からの範囲を指定する手段をさらに有し、
前記第２の手段は、前記範囲に含まれる地名を取得する、請求項４に記載の携帯端末。
【請求項６】
前記地名に対応する電話番号および／または郵便番号を取得する手段をさらに有する、請求項４または５に記載の携帯端末。
【発明の詳細な説明】
【０００１】
【発明の属する技術分野】
本発明は、携帯端末における位置情報を利用したサービスに関する。
【０００２】
【従来の技術】
携帯端末でのデータ通信が可能になり、主目的である音声での通話よりも電子メールの送受信の方が重要になってきている。
【０００３】
携帯端末はその携帯性ゆえ、小型化が必要である。小型化する場合、言語入力をするためのキーの数が制限されてしまうため、パーソナルコンピューターのような言語入力はできない。携帯電話無線機に代表される携帯端末はこの言語入力がネックとなっていた。
【０００４】
一方、携帯端末の機能集積度は高くなる一方であり、その機能の一つとして位置情報の受信がある。位置情報は様々な方法によりサービスが提供されおり、代表的な方法では、ＧＰＳ（Ｇｌｏｂａｌ  Ｐｏｓｉｔｉｏｎｉｎｇ  Ｓｙｓｔｅｍ）やＰＤＣ（Ｐｅｒｓｏｎａｌ  Ｄｉｇｉｔａｌ  Ｃｅｌｌｕｌａｒ）で一部のキャリアに使用されているＣＢＳ（Ｃｅｌｌ−ｃｉｔｅ  Ｂｒｏａｄｃａｓｔｉｎｇ  Ｓｅｒｖｉｃｅ）が挙げられる。
【０００５】
また、ＧＰＳによる位置情報を用い、入力された電話番号の先頭に、自動で市内コードを付して発呼するような技術も提案されている（例えば、特許文献１参照）。
【０００６】
【特許文献１】
特開２００２−１８６０３５号公報
【０００７】
【発明が解決しようとする課題】
携帯端末で電子メールを利用する一つの場面として、旅先での出来事を親しい仲間に旅先から連絡することが考えられる。このような場面では利用者の現在の所在地を連絡することが非常に多く、地名入力時に同音での候補が多い場合は、漢字変換に時間を要する場合がある。このような場合に、変換候補の最初に利用者の現在の所在地が現れると便利である。
【０００８】
そこで本発明の目的は、文字変換時に位置情報を利用し、利用者の現在の所在地が変換の上位候補になるようにする方法を提供することにある。
【０００９】
【課題を解決するための手段】
上記目的を達成するために、本発明は、携帯端末が現在の位置情報を受信すると、この位置情報に基づき、携帯端末が自ら有する、位置情報と地名が対応したデータベースを参照して地名を取得し、入力文字の変換候補とこの地名を比較して、変換候補の中にこの地名が含まれる場合、この地名を変換候補の有力候補として位置づけるようにする。
【００１０】
【発明の実施の形態】
次に、本発明の実施の形態について、図面を参照して説明する。
【００１１】
図１を参照すると、本発明の一実施形態の携帯端末は、受信部１１と、モデム１２と、ＣＰＵ１３と、ボタン１４と、メモリ（１〜５）１５１〜５と、表示制御部１６と、表示部１７から構成される。
【００１２】
受信部１１は、ＧＰＳなどから位置情報の受信を行う。モデム１２は、受信した位置情報の信号を復号する。ＣＰＵ１３は、モデム１２から復号したデータを受け取り解析する。ボタン１４は、ＣＰＵ１３に利用者の命令を入力する。メモリ１〜５（１５１〜５）は、ＣＰＵ１３に接続され、それぞれ、受信した位置情報を記憶するメモリ１（１５１）、位置と地名が対応して記憶されているメモリ２（１５２）、検索した地名を記憶するメモリ３（１５３）、文字列を変換するための候補（辞書）を記憶するメモリ４（１５４）、作成した文字列を記憶するメモリ５（１５５）である。表示制御部１６は、ＣＰＵ１３からの命令により表示部１７を制御する。表示部１７は、表示を命令された情報を表示する。
【００１３】
次に、図２を参照して、携帯端末の動作を説明する。
【００１４】
まず、地名を検索する、所在地からの範囲Ｒを入力する（ステップ２０１）。
【００１５】
次に、位置情報を受信開始し（ステップ２０２）、位置情報が受信できたと判断すると（ステップ２０３）、受信した位置情報をメモリ１に記録する（ステップ２０４）。
【００１６】
次に、メモリ１に記録された位置から範囲Ｒにある地名をメモリ２から検索し、その結果をメモリ３に記録する（ステップ２０５）。
【００１７】
次に、利用者は文字を入力するためにテキストエディタを起動し（ステップ２０６）、ボタン操作により文字を入力する（ステップ２０７）。変換ボタンを操作し（ステップ２０８）、メモリ４にある変換候補（辞書）を引用しながら（ステップ２１０）、文字列を漢字に変換する（ステップ２０９）。変換を行う際、ＣＰＵ１３はメモリ３にある地名とメモリ４にある変換候補を比較する（ステップ２１１）。
【００１８】
比較した結果、メモリ４の候補にメモリ３の文字列が含まれていた場合（ステップ２１２）、メモリ３の文字列を優先して変換候補一覧に表示する（ステップ２１３）。メモリ４の候補にメモリ３の文字列が含まれていない場合（ステップ２１２）、メモリ３の文字列を無視して変換候補一覧に表示する（ステップ２１４）。
【００１９】
次に、ボタン操作により変換候補一覧のカーソルを移動させ（ステップ２１５）、その候補から文字を決定する（ステップ２１６）。そして、決定した文字列を表示させる（ステップ２１７）。終了ボタンを押下したと判断した場合（ステップ２１８）は、その文字列をメモリ５に記録する（ステップ２１９）。終了ボタンを押下していない場合（ステップ２１８）、ボタン操作による文字入力を継続する（ステップ２０７）。
【００２０】
なお、受信した位置情報は送信するメールに挿入できるようにしてもよい。
【００２１】
また、本発明の文字変換方法を利用して、受信した位置情報から、地名のみならず、その国または地方の言葉に変換（翻訳）するような機能を付与してもよい。
【００２２】
また、受信した位置情報に対応した地の電話番号および／または郵便番号を取得し、さらに、送信するメールに挿入できるようにしてもよい。
【００２３】
【発明の効果】
以上説明したように、本発明によれば、携帯端末において、同音語が多い地名を変換する際にも、すばやく目的の単語に変換することが可能になる。
【図面の簡単な説明】
【図１】本発明の一実施形態の携帯端末の構成を示した図である。
【図２】携帯端末における文字変換までの処理の流れを示したフローチャートである。
【符号の説明】
１１  受信部
１２  モデム
１３  ＣＰＵ
１４  ボタン
１５  メモリ
１６  表示制御部
１７  表示部
２０１〜２１９  ステップ
【図１】
2004185200.tif 000003
【図２】
2004185200.tif 000004